(57)【特許請求の範囲】
【請求項１】
縦３セル、横３セルの３×３セル群を構成する９つのセルに、カラーフィルタを配置するとともに、この３×３セル群のうち中央のセルに緑色以外の色からなるカラーフィルタを配置した１画素カラーフィルタブロックを４種類有し、
２行２列の配列に前記１画素カラーフィルタブロックをそれぞれ配置した２×２画素群のカラー撮像素子であって、
前記１画素カラーフィルタブロックを構成する前記カラーフィルタは、４枚の緑色カラーフィルタ、１枚の赤色カラーフィルタ、１枚の青色カラーフィルタ、１枚のイエローカラーフィルタ、１枚のシアンカラーフィルタ、１枚のマゼンタカラーフィルタからなり、
前記２×２画素群を構成する６×６セル群の縦方向及び横方向に接するセルには互いに異なる色のカラーフィルタが配置され、
前記６×６セル群の各行において赤色成分、青色成分及び緑色成分を含み、かつ、この６×６セル群の各列において赤色成分、青色成分及び緑色成分を含むように前記カラーフィルタを配置するとともに、
前記３×３セル群のうち四隅のセルに緑色カラーフィルタを配置した前記１画素カラーフィルタブロックの中央のセルにはシアンカラーフィルタ、イエローカラーフィルタまたはマゼンタカラーフィルタを配置し、
前記３×３セル群のうち四隅のセルに緑色以外の色からなるカラーフィルタを配置した前記１画素カラーフィルタブロックの中央のセルには赤色カラーフィルタ又は青色カラーフィルタを配置したカラー撮像素子。
【請求項２】
前記２×２画素群の中心を対称点とし、前記カラーフィルタの配色が点対称となるように前記カラーフィルタを配置した請求項１に記載のカラー撮像素子。
【発明の詳細な説明】
【技術分野】
【０００１】
この発明はカラー撮像素子、詳しくは色モワレの発生の低減及び高解像度化、高感度化が可能なカラー撮像素子に関する。
【背景技術】
【０００２】
単板式のカラー撮像素子では、各セル上にそれぞれ単色のカラーフィルタが設けられるため、各セルが単色の色情報しか持たない。このため、単板カラー撮像素子の出力画像はＲＡＷ画像（モザイク画像）となり、多チャンネル画像を得るためには、欠落しているセルの色情報を、周囲のセルの色情報から補完する処理（同時化処理）をＲＡＷ画像に対して行う必要がある。この場合に問題となるのが、高周波の画像信号の再現特性である。カラー撮像素子は白黒用の撮像素子と比較して、撮像した範囲にエリアシングが発生しやすいため、色モワレ（偽色）の発生を抑制しつつ再現帯域を広げて高解像度化することが重要な課題である。
また、近年、明暗の差が大きい条件の下でも良好な撮像が行える撮像素子の実現が強く望まれるようになってきた。この実現のためには、撮像素子のダイナミックレンジを大きくする必要がある。ダイナミックレンジとは、飽和時と暗時における光信号と雑音信号の比、または飽和時の光量と暗時雑音相当の光量の比として定義される。ダイナミックレンジを大きくするためには、カラー撮像素子を高感度化することが重要な課題である。
しかしながら、これらの課題をすべて解決することは困難である。また、きわめて高性能のカラー撮像素子を必要とすることから、開発に多額の費用と時間を必要とする。このため、上述の課題を解決したカラー撮像素子を安価に提供することが困難であった。
【０００３】
そこで、これらの課題を解決するための技術として、所定のカラーフィルタを所定位置に配置した９マスカラーブロックを縦横交互に配置した撮像素子用のカラーフィルタブロック（カラー撮像素子）が提案されている（特許文献１）。
特許文献１に記載の９マスカラーブロックは、原色の緑フィルタを４角マスと中心マスを除く４マスに各々に配置し、原色の赤フィルタと青フィルタを中心マスを除く４角マスの任意のマスに１マスずつ配置し、中心マスを含めて残りの３マスに補色のシアンフィルタ、イエローフィルタ、マゼンタフィルタを配置しているものと、原色の緑フィルタを４角マスに各々に配置し、原色の赤フィルタと青フィルタを中心マスと４角マスを除く任意のマスに１マスずつ配置し、中心マスを含めて残りの３マスに補色のシアンフィルタ、イエローフィルタ、マゼンタフィルタを配置しているものと、の２種類が存在する。
【先行技術文献】
【特許文献】
【０００４】
【特許文献１】特許第４１７８２５０号公報
【発明の概要】
【発明が解決しようとする課題】
【０００５】
しかしながら、特許文献１のカラー撮像素子であっても、色モワレの発生の低減、解像度、感度の点で性能が不十分であり、カラー撮像素子のさらなる色モワレの発生の低減及び高解像度化、高感度化が必要である。
【０００６】
そこで、発明者は鋭意研究の結果、カラー撮像素子を構成するカラーフィルタの配置に着目し、特に、カラー撮像素子の２×２画素群を構成する６×６セル群の縦方向及び横方向に接するセルには互いに異なる色のカラーフィルタが配置すること及び６×６セル群の各行において赤色成分、青色成分及び緑色成分を含み、かつ、６×６セル群の各列において赤色成分、青色成分及び緑色成分を含むようにカラーフィルタを配置することに想到した。このようにすれば、６×６セル群のすべての行、すべての列に、光の３原色である赤、青、緑を検知できるようになり、カラー撮像素子のさらなる色モワレの発生の低減及び高解像度化、高感度化を実現できることを知見し、この発明を完成させた。
【０００７】
この発明は、カラー撮像素子のさらなる色モワレの発生の低減及び高解像度化、高感度化を実現できるカラー撮像素子を提供することを目的としている。
【課題を解決するための手段】
【０００８】
請求項１に記載の発明は、縦３セル、横３セルの３×３セル群を構成する９つのセルに、カラーフィルタを配置するとともに、この３×３セル群のうち中央のセルに緑色以外の色からなるカラーフィルタを配置した１画素カラーフィルタブロックを４種類有し、２行２列の配列に前記１画素カラーフィルタブロックをそれぞれ配置した２×２画素群のカラー撮像素子であって、前記１画素カラーフィルタブロックを構成する前記カラーフィルタは、４枚の緑色カラーフィルタ、１枚の赤色カラーフィルタ、１枚の青色カラーフィルタ、１枚のイエローカラーフィルタ、１枚のシアンカラーフィルタ、１枚のマゼンタカラーフィルタからなり、前記２×２画素群を構成する６×６セル群の縦方向及び横方向に接するセルには互いに異なる色のカラーフィルタが配置され、前記６×６セル群の各行において赤色成分、青色成分及び緑色成分を含み、かつ、この６×６セル群の各列において赤色成分、青色成分及び緑色成分を含むように前記カラーフィルタを配置するとともに、前記３×３セル群のうち四隅のセルに緑色カラーフィルタを配置した前記１画素カラーフィルタブロックの中央のセルにはシアンカラーフィルタ、イエローカラーフィルタまたはマゼンタカラーフィルタを配置し、前記３×３セル群のうち四隅のセルに緑色以外の色からなるカラーフィルタを配置した前記１画素カラーフィルタブロックの中央のセルには赤色カラーフィルタ又は青色カラーフィルタを配置したカラー撮像素子である。
【０００９】
本発明におけるカラー撮像素子は原色である緑、赤、青の他に補色であるイエロー、シアン、マゼンタの６種類の色によって１画素とし、４枚の緑色カラーフィルタ、１枚の赤色カラーフィルタ、１枚の青色カラーフィルタ、１枚のイエローカラーフィルタ、１枚のシアンカラーフィルタ、１枚のマゼンタカラーフィルタによって１画素カラーフィルタブロックを構成している。
カラーフィルタは、染料系（染色、染料分散、染料印刷によって着色されたフィルタ）や顔料系（顔料分散、電着、顔料印刷、転写、蒸着によって着色されたフィルタ）、多層干渉膜方式によるものを採用することができる。染料や顔料等によって緑色の光を主に透過させるものを緑色カラーフィルタという。同様に赤色の光を主に透過させるものを赤色カラーフィルタ、青色の光を主に透過させるものを青色カラーフィルタ、青色の光を吸収し、赤色と緑色の光を透過させるものをイエローカラーフィルタ、赤色の光を吸収し、青色と緑色の光を透過させるものをシアンカラーフィルタ、緑色の光を吸収し、赤色と青色の光を透過させるものをマゼンタカラーフィルタという。
カラーフィルターの形状は、長方形または正方形であり、９枚のカラーフィルターは同じ形状、同じサイズである。
【００１０】
１画素カラーフィルタブロックは縦３セル、横３セルの３×３セル群で構成され、９つのセルを有している。すなわち、１画素カラーフィルタブロックはブラックマトリックスによって格子状に縦３セル、横３セルに分割され、ブラックマトリックスによって囲まれた部分をセルという。このセルにカラーフィルタを1枚ずつ配置する。
その際に、３×３セル群の中央のセルには緑色カラーフィルタは配置しない。そして、縦方向及び横方向に隣り合うセルには互いに違う色のカラーフィルタを配置する。そして、１画素カラーフィルタブロックには４枚のカラーフィルタを配置する。このため、１画素カラーフィルタブロックは、３×３セル群のうち四隅のセルに緑色カラーフィルタを配置した１画素カラーフィルタブロックと、３×３セル群のうち四隅及び中央のセル以外のセルに緑色カラーフィルタを配置した１画素カラーフィルタブロックの２種類の１画素カラーフィルタブロックが存在する。そのうち、３×３セル群の四隅のセルに緑色カラーフィルタを配置した１画素カラーフィルタブロックでは、その中央のセルにはシアンカラーフィルタ、イエローカラーフィルタまたはマゼンタカラーフィルタを配置している。その一方、３×３セル群のうち四隅のセルに緑色以外の色からなるカラーフィルタを配置した１画素カラーフィルタブロックの中央のセルには赤色カラーフィルタ又は青色カラーフィルタを配置している。
この２種類の１画素カラーフィルタブロックを２行２列の配列に互い違いに配置することで２×２画素群が構成される。
【００１１】
このように２×２画素群が構成されるため、２×２画素群は、縦６セル、横６セルの６×６セル群となる。そして、６×６セル群の縦方向及び横方向に接するセルには互いに異なる色のカラーフィルタが配置されている。そして、６×６セル群の各行において赤色成分、青色成分及び緑色成分を含み、かつ、この６×６セル群の各列において赤色成分、青色成分及び緑色成分を含むようにカラーフィルタを配置する。
赤色成分とは、透過する主な色の成分に赤を含むものをいい、赤色成分のカラーフィルタとは、具体的には赤色カラーフィルタ、イエローカラーフィルタ、マゼンタカラーフィルタの３つのカラーフィルタのことである。青色成分とは、透過する主な色の成分に青を含むものをいい、青色成分のカラーフィルタとは、具体的には青色カラーフィルタ、シアンカラーフィルタ、マゼンタカラーフィルタの３つのカラーフィルタのことである。緑色成分とは、透過する主な色の成分に緑を含むものをいい、緑色成分のカラーフィルタとは、具体的には緑色カラーフィルタ、シアンカラーフィルタ、イエローカラーフィルタである。
このため、６×６セル群の各行及び各列において、赤、イエロー、マゼンタのうち少なくとも１色（赤色成分）のカラーフィルタと、青、シアン、マゼンタのうちの少なくとも１色（青色成分）のカラーフィルタと、緑、シアン、イエローのうちの少なくとも１色（緑色成分）のカラーフィルタと、を配置している。
【００１２】
このように構成することで、６×６セル群のすべての行、すべての列に、光の３原色である赤、青、緑を検知できるようになり、カラー撮像素子のさらなる色モワレの発生の低減を達成することができる。また、２×２画素群は６×６セル群の３６セルにより構成され、原色のカラーフィルタだけでなく補色のカラーフィルタを用いることから、カラーフィルタの高解像度化を達成することができる。さらに、１画素が３×３セル群により構成されることにより、従来よりも広い面積にて１画素を構成することから、高感度化も達成することができる。
すなわち、本発明の構成により、カラー撮像素子のさらなる色モワレの発生の低減及び高解像度化、高感度化を達成することが可能となる。
【００１３】
請求項２に記載の発明は、前記２×２画素群の中心を対称点とし、前記カラーフィルタの配色が点対称となるように前記カラーフィルタを配置した請求項１に記載のカラー撮像素子である。
【００１４】
請求項２に記載の発明によれば、２×２画素群の中心を対称点とし、カラーフィルタの配色が点対称となるように配置する。具体的には、３×３セル群のうち四隅及び中央のセル以外のセルに緑色カラーフィルタを配置した１画素カラーフィルタブロック（便宜上「第１の１画素カラーフィルタブロック」と記載する。）と、３×３セル群のうち四隅のセルに緑色カラーフィルタを配置した１画素カラーフィルタブロック（便宜上「第２の１画素カラーフィルタブロック」と記載する。）と、をそれぞれ２枚ずつ用意し、互い違いに配置していく。仮に、２×２画素群の第１行第１列に第１の１画素カラーフィルタブロックを配置し、２×２画素群の第１行第２列に第２の１画素カラーフィルタブロックを配置した場合、第２行第１列に配置する第２の１画素カラーフィルタブロックは、第１行第２列に配置した第２の１画素カラーフィルタブロックの色の配置を１８０度回転した色の配置となるようにして配置する。同様に、第２行第２列に配置する第１の１画素カラーフィルタブロックは、第１行第１列に配置した第１の１画素カラーフィルタブロックの色の配置を１８０度回転した色の配置となるようにして配置する。
このようにすることで、同じ色の配置のカラーフィルタブロックを複数枚準備すればよく、低コストで、カラー撮像素子のさらなる色モワレの発生の低減及び高解像度化、高感度化を達成することが可能となる。
【発明の効果】
【００１５】
本発明によれば、カラー撮像素子のさらなる色モワレの発生の低減及び高解像度化、高感度化を達成することが可能となる。
【００１６】
具体的には、請求項１に記載の発明によれば、６×６セル群のすべての行、すべての列に、光の３原色である赤、青、緑を検知できるようになり、カラー撮像素子のさらなる色モワレの発生の低減を達成することができる。また、２×２画素群は６×６セル群の３６セルにより構成され、原色のカラーフィルタだけでなく補色のカラーフィルタを用いることから、カラーフィルタの高解像度化を達成することができる。さらに、１画素が３×３セル群により構成されることにより、従来よりも広い面積にて１画素を構成することから、高感度化も達成することができる。
【００１７】
特に、請求項２に記載の発明によれば、同じ色の配置のカラーフィルタブロックを複数枚準備すればよく、低コストで、カラー撮像素子のさらなる色モワレの発生の低減及び高解像度化、高感度化を達成することが可能となる。
【図面の簡単な説明】
【００１８】
【図１】この発明の第１の実施形態に係るカラー撮像素子におけるカラーフィルタの色の配列を示す６×６セル群の基本配列パターンの図である。
【図２】この発明の第２の実施形態に係るカラー撮像素子におけるカラーフィルタの色の配列を示す６×６セル群の基本配列パターンの図である。
【図３】この発明の第３の実施形態に係るカラー撮像素子におけるカラーフィルタの色の配列を示す６×６セル群の基本配列パターンの図である。
【図４】この発明の第４の実施形態に係るカラー撮像素子におけるカラーフィルタの色の配列を示す６×６セル群の基本配列パターンの図である。
【図５】この発明の比較対象形態に係るカラー撮像素子におけるカラーフィルタの色の配列を示す６×６セル群の基本配列パターンの図である。
【発明を実施するための形態】
【００１９】
この発明に係るカラー撮像素子は、図１に示すように、縦方向及び横方向に配列（二次元配列）された光電変換素子からなる複数のセル（図示しない）と、各セルの受光面上に配置されたカラーフィルタから構成されている。
このカラー撮像素子は、縦３セル、横３セルの９つのセルからなる３×３セル群で構成されている。この３×３セル群の各セルにカラーフィルタを配置した１画素カラーフィルタブロックを１画素とする。１画素カラーフィルタブロックの各セルには、３原色である赤、緑、青のカラーフィルタ、補色のイエロー、シアン、マゼンタのカラーフィルタのうちのいずれか１つが配置される。このカラー撮像素子は、この１画素カラーフィルタブロックを２行２列の配列にそれぞれ配置した２×２画素群、すなわち縦６セル、横６セルの６×６セル群を正方配列パターンとする。そして、このカラー撮像素子は、正方配列パターンを縦方向及び横方向に繰り返し配置されている。すなわち、このカラー撮像素子に係るカラーフィルタの色の配列は、赤、緑、青、イエロー、シアン、マゼンタの６色が所定の周期性をもって配列されている。このようにすることで、カラー撮像素子から読み出される色情報信号の同時化（補間）処理などを行う際に、繰り返しパターンに従って処理を行うことができる。
【００２０】
［カラーフィルタの色の配列の特徴］
カラーフィルタの色の配列を決定するに際し、以下の特徴を備えておかなければならない。
［特徴（１）］
４枚の緑色カラーフィルタ、１枚の赤色カラーフィルタ、１枚の青色カラーフィルタ、１枚のイエローカラーフィルタ、１枚のシアンカラーフィルタ、１枚のマゼンタカラーフィルタの９枚のカラーフィルタを１枚ずつ３×３セル群の各セルに配置する。
このように、輝度信号を得るために最も寄与する緑色のカラーフィルタの数を他の色のカラーフィルタの数より多くすることにより、同時化処理時におけるエリアシングを抑制することができるとともに、高周波再現性もよくすることができる。
［特徴（２）］
６×６セル群の縦方向及び横方向に接するセルには互いに異なる色のカラーフィルタが配置されている。縦方向または横方向に接するセル同士が同じ色である場合、当該部分の発光強度が他の部分より大きいため、色モワレの原因となる。６×６セル群の縦方向及び横方向に接するセルには互いに異なる色のカラーフィルタが配置されることで、特定の色の発光強度が他の色の場合に比べて大きくなることがなく、色モワレを抑制することができる。
［特徴（３）］
６×６セル群の各行において赤色成分、青色成分及び緑色成分を含み、かつ、この６×６セル群の各列において赤色成分、青色成分及び緑色成分を含むようにカラーフィルタを配置する。６×６セル群の各行、各列のうち、赤色成分、青色成分及び緑色成分を含まない場合、当該成分の発光を必要とする場合に発光することができなくなる。その結果、ドット抜けが発生し、カラー撮像素子の低解像度化を招く。６×６セル群のすべての行、すべての列において赤色成分、青色成分及び緑色成分を含むようにカラーフィルタを配置することで、ドット抜けを防止し、カラー撮像素子の高解像度化に寄与することができる。
［特徴（４）］
３×３セル群のうちの四隅のセルに緑色カラーフィルタを配置した１画素カラーフィルタブロック（前述の「第２の１画素カラーフィルタブロック」）の中央のセルには、シアンカラーフィルタ、イエローカラーフィルタまたはマゼンタカラーフィルタを配置する。
［特徴（５）］
３×３セル群のうち四隅のセルに緑色以外の色からなるカラーフィルタを配置した１画素カラーフィルタブロック（前述の「第１の１画素カラーフィルタブロック」）の中央のセルには、赤色カラーフィルタ又は青色カラーフィルタを配置する。
【００２１】
特徴（１）、特徴（２）から、１画素カラーフィルタブロックは、第１の１画素カラーフィルタブロックと第２の１画素カラーフィルタブロックと２種類に分類することができる。
そして、特徴（４）を備えることで、６×６セル群のすべての行及びすべての列において緑色成分を検出することができると同時に、赤色成分または青色成分も検出することが可能となる。このため、特徴（５）において、特徴（１）、特徴（２）、特徴（４）のみでは検出できない成分に係る色、すなわち赤色又は青色のカラーフィルタを第１の１画素カラーフィルタブロックの中央のセルに配置する。
【００２２】
なお、カラー撮像素子はＣＣＤ（Ｃｈａｒｇｅ  Ｃｏｕｐｌｅｄ  Ｄｅｖｉｃｅ）カラー撮像素子に限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子などの他の種類の撮像素子であってもよい。
【００２３】
以上の特徴を踏まえ、この発明に係るカラー撮像素子のカラーフィルタの配置例を第１の実施形態〜第４の実施形態および比較対象形態として説明する。
【００２４】
［第１の実施形態に係るカラー撮像素子］
図１に、第１の実施形態に係るカラー撮像素子における６×６セル群の基本配列パターンのカラーフィルタの色の配列を示す。
第１の１画素カラーフィルタブロックは、第１行目のセルには第１列目から順に赤、緑、シアンのカラーフィルタを配置し、第２列目の緑色カラーフィルタに挟まれたセルには青色カラーフィルタを配置し、第３行目のセルには第１列目から順にイエロー、緑、マゼンタのカラーフィルタを配置している。この第２の１画素カラーフィルタブロックを２枚用意し、２×２配列のうち第１行第１列目および第２行第２列目にそれぞれ同じ色の配列となるように配置する。
第２の１画素カラーフィルタブロックは、第１行目の緑色カラーフィルタに挟まれたセルには赤色カラーフィルタを配置し、第２行目のセルには第１列目から順に青、イエロー、シアンのカラーフィルタを配置し、第３行目の緑色カラーフィルタに挟まれたセルにはマゼンタカラーフィルタを配置している。この第２の１画素カラーフィルタブロックを２枚用意し、２×２配列のうち、第１行第２列目および第２行第２列目にそれぞれ同じ色の配列となるように配置する。
【００２５】
［第２の実施形態に係るカラー撮像素子］
図２に、第２の実施形態に係るカラー撮像素子における６×６セル群の基本配列パターンのカラーフィルタの色の配列を示す。
第１の１画素カラーフィルタブロックは、第１行目のセルには第１列目から順に赤、緑、シアンのカラーフィルタを配置し、第２列目の緑色カラーフィルタに挟まれたセルには青色カラーフィルタを配置し、第３行目のセルには第１列目から順にマゼンタ、緑、イエローのカラーフィルタを配置している。この第１の１画素カラーフィルタブロックを２枚用意し、２×２配列のうち第１行第１列目および第２行第２列目にそれぞれ同じ色の配列となるように配置する。
第２の１画素カラーフィルタブロックは、第１行目の緑色カラーフィルタに挟まれたセルには赤色カラーフィルタを配置し、第２行目のセルには第１列目から順に青、イエロー、マゼンタのカラーフィルタを配置し、第３行目の緑色カラーフィルタに挟まれたセルにはシアンカラーフィルタを配置している。この第２の１画素カラーフィルタブロックを２枚用意し、２×２配列のうち、第１行第２列目および第２行第２列目にそれぞれ同じ色の配列となるように配置する。
【００２６】
［第３の実施形態に係るカラー撮像素子］
図３に、第３の実施形態に係るカラー撮像素子における６×６セル群の基本配列パターンのカラーフィルタの色の配列を示す。
第１の１画素カラーフィルタブロックは、第１行目のセルには第１列目から順にマゼンタ、緑、シアンのカラーフィルタを配置し、第２列目の緑色カラーフィルタに挟まれたセルには赤色カラーフィルタを配置し、第３行目のセルには第１列目から順に青、緑、イエローのカラーフィルタを配置している。この第１の１画素カラーフィルタブロックを２枚用意し、２×２配列のうち第１行第１列目および第２行第２列目にそれぞれ同じ色の配列となるように配置する。
第２の１画素カラーフィルタブロックは、第１行目の緑色カラーフィルタに挟まれたセルには赤色カラーフィルタを配置し、第２行目のセルには第１列目から順にマゼンタ、シアン、イエローのカラーフィルタを配置し、第３行目の緑色カラーフィルタに挟まれたセルには青色カラーフィルタを配置している。この第２の１画素カラーフィルタブロックを２枚用意し、２×２配列のうち、第１行第２列目および第２行第２列目にそれぞれ同じ色の配列となるように配置する。
【００２７】
［第４の実施形態に係るカラー撮像素子］
図４に、第４の実施形態に係るカラー撮像素子における６×６セル群の基本配列パターンのカラーフィルタの色の配列を示す。
第１の１画素カラーフィルタブロックは、第１行目のセルには第１列目から順に青、緑、イエローのカラーフィルタを配置し、第２列目の緑色カラーフィルタに挟まれたセルには赤色カラーフィルタを配置し、第３行目のセルには第１列目から順にシアン、緑、マゼンタのカラーフィルタを配置している。この第１の１画素カラーフィルタブロックを２枚用意し、２×２配列のうち第１行第１列目および第２行第２列目に配置する。このとき、第１行第１列目に配置したカラー配列が２×２セル群の中心を対称点とする点対称のカラー配列となるように第２行第２列目の第１の１画素カラーフィルタブロックを配置する。
第２の１画素カラーフィルタブロックは、第１行目の緑色カラーフィルタに挟まれたセルには青色カラーフィルタを配置し、第２行目のセルには第１列目から順にシアン、マゼンタ、赤のカラーフィルタを配置し、第３行目の緑色カラーフィルタに挟まれたセルにはイエローカラーフィルタを配置している。この第２の１画素カラーフィルタブロックを２枚用意し、２×２配列のうち、第１行第２列目および第２行第２列目に配置する。このとき、第１行第２列目に配置したカラー配列が２×２セル群の中心を対称点とする点対称のカラー配列となるように第２行第１列目の第２の１画素カラーフィルタブロックを配置する。
【００２８】
［比較対象形態に係るカラー撮像素子］
図５に、比較対象形態に係るカラー撮像素子における６×６セル群の基本配列パターンのカラーフィルタの色の配列を示す。
第１の１画素カラーフィルタブロックは、第１行目のセルには第１列目から順に赤、緑、青のカラーフィルタを配置し、第２列目の緑色カラーフィルタに挟まれたセルにはシアンカラーフィルタを配置し、第３行目のセルには第１列目から順にマゼンタ、緑、イエローのカラーフィルタを配置している。この第１の１画素カラーフィルタブロックを２枚用意し、２×２配列のうち第１行第１列目および第２行第２列目にそれぞれ同じ色の配列となるように配置する。
第２の１画素カラーフィルタブロックは、第１行目の緑色カラーフィルタに挟まれたセルにはマゼンタカラーフィルタを配置し、第２行目のセルには第１列目から順に青、赤、イエローのカラーフィルタを配置し、第３行目の緑色カラーフィルタに挟まれたセルにはシアンカラーフィルタを配置している。この第２の１画素カラーフィルタブロックを２枚用意し、２×２配列のうち、第１行第２列目および第２行第２列目にそれぞれ同じ色の配列となるように配置する。
【００２９】
第１の実施形態〜第４の実施形態に係るカラー撮像素子及び比較対象形態に係るカラー撮像素子に映し出された映像が鮮明に映し出されているか、６〜７２歳までの男女４４人に対して視覚による官能試験を行った。その結果、最も鮮明な映像を映し出していると判断したものは第４の実施形態に係るカラー撮像素子であり、以下順に、第３、第２、第１の実施形態に係るカラー撮像素子であった。また、比較対象形態に係るカラー撮像素子に映し出された映像は、第１〜第４の実施形態に係るカラー撮像素子によって映し出された映像よりも不鮮明であると評価した。
【産業上の利用可能性】
【００３０】
この発明のカラー撮像素子は、色モワレの発生の低減及び高解像度化、高感度化に関するカラー撮像素子技術として有用である。
【符号の説明】
【００３１】
Ｇ  緑色カラーフィルタ、
Ｒ  赤色カラーフィルタ、
Ｂ  青色カラーフィルタ、
Ｙ  イエローカラーフィルタ、
Ｃ  シアンカラーフィルタ、
Ｍ  マゼンタカラーフィルタ。
【図１】
0006473350.tif 000002
【図２】
0006473350.tif 000003
【図３】
0006473350.tif 000004
【図４】
0006473350.tif 000005
【図５】
0006473350.tif 000006